(57)【要約】【課題】監視対象機器に組み込まれることにより防犯機能を持たせることが可能な防犯装置、防犯装置を監視する監視装置、及び防犯装置と監視装置を用いた防犯システムを提供することを目的とする。【解決手段】防犯装置が、監視対象機器に装着するための汎用インタフェースと、外部の監視装置と通信を行う通信部と、前記監視対象機器の状態を検出する状態検出手段と、該状態検出手段が検出した状態が所定の閾値を超えると、前記通信部に緊急通報を送信させる制御部とを具備する。【選択図】図２
2008277997.tif 000002
【特許請求の範囲】
【請求項１】
監視対象機器に装着するための汎用インタフェースと、
外部の監視装置と通信を行う通信部と、
前記監視対象機器の状態を検出する状態検出手段と、
該状態検出手段が検出した状態が所定の閾値を超えると、前記通信部に緊急通報を送信させる制御部と
を具備することを特徴とする防犯装置。
【請求項２】
報知部を、さらに備え、
前記制御部は、前記状態検出手段が検出した状態が所定の閾値を超えると、該報知部に報知させる
ことを特徴とする請求項１記載の防犯装置。
【請求項３】
前記報知部は、警告音を発生するスピーカを含む
ことを特徴とする請求項２記載の防犯装置。
【請求項４】
前記報知部は、発光する発光部を含む
ことを特徴とする請求項２または３記載の防犯装置。
【請求項５】
位置捕捉用電波を受信することによって監視対象機器の位置を検出する位置検出手段をさらに備え、
前記制御部は、緊急通報に加え、前記位置検出手段が検出した監視対象機器の位置をも通信部に送信させることを特徴とする請求項１〜４いずれか一項記載の防犯装置。
【請求項６】
前記制御部は、監視対象機器を利用可能な状態にする鍵信号を前記汎用インタフェースを介して出力する
ことを特徴とする請求項１〜５のいずれか一項記載の防犯装置。
【請求項７】
前記状態検出手段は、監視対象機器の傾斜を検出する傾斜センサであることを特徴とする請求項１〜６のいずれか一項記載の防犯装置。
【請求項８】
前記状態検出手段は、監視対象機器の振動を検出する振動センサであることを特徴とする請求項１〜６のいずれか一項記載の防犯装置。
【請求項９】
前記汎用インタフェースは汎用コネクタを備えたカード形式に形成されることを特徴とする請求項１〜８のいずれか一項記載の防犯装置。
【請求項１０】
請求項１〜９のいずれか一項に記載の防犯装置と通信を行う監視通信部と、
監視対象機器の緊急事態を表示する表示部と、
前記監視通信部が受信する緊急通報に基づいて前記表示部に監視対象機器の緊急事態を表示させる監視制御部と
を具備することを特徴とする監視装置。
【請求項１１】
防犯装置をリモート操作するための操作指示を受け付ける操作部をさらに備え、
前記監視制御部は、前記操作部から入力された操作指示に基づくリモート操作信号を前記監視通信部に送信させることを特徴とする請求項１０記載の監視装置。
【請求項１２】
前記監視制御部は、前記監視通信部から緊急通報が入力されると、前記操作部の操作モードを通常のキーアサイン状態である通常操作モードから緊急時のキーアサイン状態である緊急操作モードに切り替える
ことを特徴とする請求項１１記載の監視装置。
【請求項１３】
請求項１〜９のいずれか一項に記載された防犯装置と、
請求項１０〜１２のいずれか一項に記載された監視装置と
を具備することを特徴とする防犯システム。
【発明の詳細な説明】
【技術分野】
【０００１】
本発明は、防犯装置、監視装置及び防犯システムに関する。
【背景技術】
【０００２】
下記特許文献１には、親端末と子端末との位置関係を監視センタにて監視する位置監視システムが開示されている。具体的には、監視センタからのコマンドに応じて、又は所定時間ごとに位置情報を監視センタに送信する子端末と、監視センタからのコマンドに応じて、又は所定時間ごとに位置情報を監視センタに送信するとともに、監視センタから異常信号を受信するとその旨を報知する親端末と、親端末から受信した位置情報と子端末から受信した位置情報に基づき親端末と子端末との位置関係が所定条件を満たすと異常信号を前記親端末に送信する監視センタとを具備する位置監視システムが記載されている。
【特許文献１】特開２００３−１８６３５号公報
【発明の開示】
【発明が解決しようとする課題】
【０００３】
ところで、上記従来技術では以下のような問題点がある。すなわち、監視対象となる子端末は端末形状をしているため、携帯端末等の監視対象機器に組み込むことが出来ず、様々な監視対象機器に防犯機能を持たせることが出来ない。
【０００４】
本発明は、上述した事情を鑑みてなされたものであり、監視対象機器に組み込まれることにより防犯機能を持たせることが可能な防犯装置、防犯装置を監視する監視装置、及び防犯装置と監視装置を用いた防犯システムを提供することを目的とする。
【課題を解決するための手段】
【０００５】
上記目的を達成するために、本発明では、防犯装置に係る第１の解決手段として、
監視対象機器に装着するための汎用インタフェースと、
外部の監視装置と通信を行う通信部と、
前記監視対象機器の状態を検出する状態検出手段と、
該状態検出手段が検出した状態が所定の閾値を超えると、前記通信部に緊急通報を送信させる制御部と
を具備するという手段を採用する。
【０００６】
本発明では、防犯装置に係る第２の解決手段として、上記第１の解決手段において、
報知部を、さらに備え、
前記制御部は、前記状態検出手段が検出した状態が所定の閾値を超えると、該報知部に報知させるという手段を採用する。
【０００７】
本発明では、防犯装置に係る第３の解決手段として、上記第２の解決手段において、
前記報知部は、警告音を発生するスピーカを含むという手段を採用する。
【０００８】
本発明では、防犯装置に係る第４の解決手段として、上記第２の解決手段において、
前記報知部は、発光する発光部を含むという手段を採用する。
【０００９】
本発明では、防犯装置に係る第５の解決手段として、上記第１〜第４のいずれかの解決手段において、位置捕捉用電波を受信することによって監視対象機器の位置を検出する位置検出手段をさらに備え、
前記制御部は、緊急通報に加え、前記位置検出手段が検出した監視対象機器の位置をも通信部に送信させるという手段を採用する。
【００１０】
本発明では、防犯装置に係る第６の解決手段として、上記第１〜第５のいずれかの解決手段において、前記制御部は、監視対象機器を利用可能な状態にする鍵信号を前記汎用インタフェースを介して出力するという手段を採用する。
【００１１】
本発明では、防犯装置に係る第７の解決手段として、上記第１〜第６のいずれかの解決手段において、前記状態検出手段は、監視対象機器の傾斜を検出する傾斜センサであるという手段を採用する。
【００１２】
本発明では、防犯装置に係る第８の解決手段として、上記第１〜第６のいずれかの解決手段において、前記状態検出手段は、監視対象機器の振動を検出する振動センサであるという手段を採用する。
【００１３】
本発明では、防犯装置に係る第９の解決手段として、上記第１〜第８のいずれかの解決手段において、前記汎用インタフェースは汎用コネクタを備えたカード形式に形成されるという手段を採用する。
【００１４】
また、本発明では、監視装置に係る第1の解決手段として、
上記第１〜第５のいずれかの防犯装置と通信を行う監視通信部と、
監視対象機器の緊急事態を表示する表示部と、
前記監視通信部が受信する緊急通報に基づいて前記表示部に監視対象機器の緊急事態を表示させる監視制御部と
を具備するという手段を採用する。
【００１５】
本発明では、監視装置に係る第２の解決手段として、上記第１の解決手段において、防犯装置をリモート操作するための操作指示を受け付ける操作部をさらに備え、
前記監視制御部は、前記操作部から入力された操作指示に基づくリモート操作信号を前記監視通信部に送信させるという手段を採用する。
【００１６】
本発明では、監視装置に係る第３の解決手段として、上記第２の解決手段において、前記監視制御部は、前記監視通信部から緊急通報が入力されると、前記操作部の操作モードを通常のキーアサイン状態である通常操作モードから緊急時のキーアサイン状態である緊急操作モードに切り替えるという手段を採用する。
【００１７】
さらに、本発明では、防犯システムに係る第1の解決手段として、
上記第１〜第９のいずれかの防犯装置と、
上記第１〜第３のいずれかの監視装置と
を具備するという手段を採用する。
【発明の効果】
【００１８】
本発明によれば、防犯装置は、所定の監視対象機器に装着され、当該監視対象機器の状態が所定の閾値を超えると、外部の監視装置に緊急通報を送信し、当該監視装置は緊急通報を受信すると緊急事態を表示する為、ユーザは所定の監視対象機器に防犯機能を持たせることが可能となる。
【発明を実施するための最良の形態】
【００１９】
以下、図面を参照して、本発明の一実施形態について説明する。本実施形態は、通信機能付ＳＩＭ（Subscriber Identity Module）カード、ＰＨＳ（Personal Handy-phone System）端末、及び当該通信機能付ＳＩＭカードと当該ＰＨＳ端末を含む防犯システムに関する。通信機能付ＳＩＭカードは、本発明における防犯装置であり、またＰＨＳ端末は本発明における監視装置である。
【００２０】
図１は本防犯システムのシステム構成図である。
本防犯システムは、通信機能付ＳＩＭカードＡ、ＰＨＳ端末Ｂ、監視対象機器Ｃ、基地局、及びＧＰＳ衛星から構成される。
通信機能付ＳＩＭカードＡは、自動車又は携帯端末等の監視対象機器Ｃに装着され、緊急事態発生時に、基地局を介してＰＨＳ端末Ｂと通信を行うことにより、緊急通報をＰＨＳ端末Ｂに送信を行う。また通信機能付ＳＩＭカードＡは、ＰＨＳ端末Ｂからのリモート操作信号により、ＧＰＳ衛星から受信する位置捕捉用電波に基づいて位置情報をＰＨＳ端末Ｂに送信を行う。
【００２１】
ＰＨＳ端末Ｂは、基地局を介して通信機能付ＳＩＭカードＡから緊急通報を受信すると、緊急通報信号に基づいて緊急事態を示す情報を外部に出力する。また、ＰＨＳ端末Ｂは、通信機能付ＳＩＭカードＡから位置情報を受信すると、通信機能付ＳＩＭカードＡの位置情報を外部に出力を行う。
【００２２】
次に、通信機能付ＳＩＭカードＡの要部機能構成及び外観を、図２の通信機能付ＳＩＭカードＡの機能ブロック図、及び図３の通信機能付ＳＩＭカードＡの外観図を用いて説明する。
通信機能付ＳＩＭカードＡの要部機能は、図２に示すように、通信部１、メモリ部２、傾斜センサ３、報知部４、接続端子（汎用インタフェース）５、及び制御部６から構成され、上記報知部４は、スピーカ４ａ及び発光部４ｂから構成される。
【００２３】
また通信機能付ＳＩＭカードＡの外観は、図３に示すように、筐体の表面にスピーカ４ａ及び、発光部４ｂが嵌め込まれ、接続端子５は長方形の接続ピンが平行に並び、筐体から露出しており、監視対象機器Ｃには矢印方向に向かって装着される。
【００２４】
通信部１は、図２に示すように制御部６による制御の下に基地局を介してＰＨＳ端末Ｂと通信を行い、ＰＨＳ端末Ｂに緊急通報を送信する。
メモリ部２は、ＲＯＭ（Read Only Memory）及びＲＡＭ（Random Access Memory）から構成され、制御部６が実行する所定の制御プログラム、及び各種データの記憶を行うと共に、制御部６が制御プログラムを実行するときのワークエリアである。
傾斜センサ３は、監視対象機器Ｃの傾斜角度を検出し、検出結果を制御部６に出力する。
スピーカ４ａは、制御部６の制御の下、警告音を外部に出力する。
発光部４ｂは、ＬＥＤ（Light Emitting Diode）等であり、制御部６の制御によって最大輝度で発光を行う。
【００２５】
接続端子５は、通信機能付ＳＩＭカードＡの規格に対応したインターフェースであり、制御部６の制御の下、各種信号の入出力が監視対象機器Ｃと行われる。接続端子５を介して制御部６から監視対象機器Ｃに出力される信号には、監視対象機器Ｃを利用可能な状態にする鍵信号があり、鍵信号の出力に関して監視対象機器Ｃを自動車とした場合を例として説明すると、通信機能付ＳＩＭカードＡがユーザにより自動車に装着されると、制御部６が接続端子５を介して鍵信号を出力し、鍵信号を受信した自動車は、鍵が差し込まれた時と同様エンジンがかかり、運転可能な状態となる。
制御部６は、メモリ部２に記憶された制御プログラム及び通信部１が受信する各種信号に基づいて、通信機能付ＳＩＭカードＡの全体動作を制御する。
【００２６】
次に、ＰＨＳ端末Ｂの要部機能構成及び外観を、図４のＰＨＳ端末Ｂの機能ブロック図、及び図５の通信機能付ＳＩＭカードＡの外観図を用いて説明する。
ＰＨＳ端末Ｂの要部機能は、図４に示すように、通信部（監視通信部）１１、メモリ部１２、操作部１３、表示部１４、スピーカ１５及び制御部（監視制御部）１６から構成される。
通信部１１は、制御部１６による制御の下に基地局を介して通信機能付ＳＩＭカードＡと通信を行い、通信機能付ＳＩＭカードＡから緊急通報を受信する。
メモリ部１２は、ＲＯＭ及びＲＡＭから構成され、制御部１６が実行する所定の制御プログラム、及び各種データの記憶を行うと共に、制御部１６が制御プログラムを実行するときのワークエリアである。
【００２７】
操作部１３は、図５に示すテンキー１３ａ、方向キー１３ｂ、及び各種ファンクションキー等の各種操作キーから構成されており、これらの操作キーに対するユーザの操作指示を受け付けて制御部１６に出力する。操作部１３には、通常のキーアサイン状態である通常操作モード、及び緊急時のキーアサイン状態である緊急操作モードがあり、制御部１６の制御によって、緊急操作モードと通常操作モードの切り替えが行われる。緊急操作モードでは、テンキー１３ａは、通信機能付ＳＩＭカードＡに位置情報の送信等のリモート操作指示を受け付けるキーとして割り当てられ、方向キー１３ｂは通信機能付ＳＩＭカードＡの警告音の音量を調整するためのリモート操作指示を受け付けるキーとして割り当てられる。
【００２８】
表示部１４は、例えば液晶モニタまたは有機ＥＬモニタ等であり、制御部１６から入力される表示信号に基づいて各種画像や文字を表示する。
スピーカ１５は、制御部１６の制御の下、操作部１３が緊急操作モードに切り替わったことを示すアラームを外部に出力する。
制御部１６は、メモリ部１２に記憶された制御プログラム及び通信部１１が受信する各種信号、及び操作部１３が受け付ける操作指示に基づいて、ＰＨＳ端末Ｂの全体動作を制御する。
【００２９】
次に、監視対象機器Ｃを自動車として、上記構成の通信機能付ＳＩＭカードＡ及びＰＨＳ端末Ｂの動作について、図６に示すシーケンス図を参照して詳しく説明する。
通信機能付ＳＩＭカードＡの制御部６は、傾斜センサ３が検出した自動車の傾斜に基づき、自動車の傾斜が閾値を越えたか否かを判断し（ステップＳ１）、自動車の傾斜が所定の閾値を越えていないと判断した場合は（ＮＯ）、待機状態を継続し、自動車の傾斜が所定の閾値を越えていると判断した場合（ＹＥＳ）は、通信部１にＰＨＳ端末Ｂへ緊急通報を送信させる（ステップＳ２）共に、スピーカ４ａに警告音の出力を行わせ（ステップＳ３）、発光部４ｂには最大輝度で発光を行わせる。（ステップＳ４）
【００３０】
一方、ＰＨＳ端末Ｂの制御部１６は、通信部１１が通信機能付ＳＩＭカードＡから緊急通報を受信すると、表示部１４に緊急事態を示す表示を行わせ（ステップＳ５）、操作部１３を通常モードから緊急操作モードに切り替える（ステップＳ６）。また、制御部１６は、操作部１３が緊急操作モードに切り替わったことを示す表示を表示部１４に行わせると共に、スピーカ１５から操作部１３が緊急操作モードに切り替わったことを示すアラームを鳴動させる。図７は、ＰＨＳ端末Ｂの表示部１４に表示される操作部１３が緊急操作モードに切り替わったことを示す表示の一例であり、操作部１３が通常操作モードから緊急操作モードに切り替わると、表示部１４に「緊急モード」が表示される。
【００３１】
ＰＨＳ端末Ｂの制御部１６は、操作部１３が通信機能付ＳＩＭカードＡへ位置情報を送信させる旨のリモート操作指示を受け取ったか否かを判定し（ステップＳ７）、当該リモート操作指示を受け取っていないと判定した場合（ＮＯ）、待機状態を継続し、当該リモート操作指示を受け取ったと判定した場合（ＹＥＳ）は、通信部１１にリモート操作信号を送信させる（ステップＳ８）。
【００３２】
通信機能付ＳＩＭカードＡの制御部６は、通信部１がＰＨＳ端末Ｂから位置情報を送信させる旨のリモート操作信号を受信すると、通信部１にＰＨＳ端末Ｂへ位置情報を送信するように指示を行う（ステップＳ９）。
ＰＨＳ端末Ｂの制御部１６は、通信部１１が通信機能付ＳＩＭカードＡから位置情報を受信すると、表示部１４に通信機能付ＳＩＭカードＡ位置を示す表示を行わせる（ステップＳ１０）。
【００３３】
以上説明したように、本実施形態によれば、通信機能付ＳＩＭカードＡが装着された自動車の傾斜が閾値を越えた場合、通信機能付ＳＩＭカードＡがＰＨＳ端末Ｂに緊急通報を送信し、ＰＨＳ端末Ｂに緊急事態を示す表示を行う為、ＰＨＳ端末Ｂを所持するユーザが自動車に緊急事態が発生したことを把握することが可能となる。また上記では自動車に通信機能付ＳＩＭカードＡを装着した場合の動作を説明したが、通信機能付ＳＩＭカードＡは、カード形式であるため、ＰＨＳ端末等の携帯端末等の様々な監視対象機器Ｃに装着することが可能である。
【００３４】
なお、本発明は、上記実施形態に限定されるものではなく、例えば以下のような変形例が考えられる。
（１）上記実施形態では、ＰＨＳ端末Ｂから通信機能付ＳＩＭカードＡに対するリモート操作として、位置情報の送信を記載したが、本発明はこれに限定されない。
例えば、リモート操作により監視対象機器に装着された通信機能付ＳＩＭカードＡの取り出し、通信機能付ＳＩＭカードＡの警告音の出力のＯＮ／ＯＦＦ切替等を行わせても良い。
（２）上記実施形態では、通信機能付ＳＩＭカードＡに関して説明したが、監視対象機器に装着する為の防犯装置の汎用インタフェースはＳＩＭカードの規格に限定されない。
例えば、ＵＳＢを用いて防犯装置を監視対象機器に装着させてもよい。
【図面の簡単な説明】
【００３５】
【図１】本発明の一実施形態に係る防犯システムのシステム構成図である。
【図２】本発明の一実施形態に係る通信機能付ＳＩＭカードＡの機能ブロック図である。
【図３】本発明の一実施形態に係る通信機能付ＳＩＭカードＡの外観図である。
【図４】本発明の一実施形態に係るＰＨＳ端末Ｂの機能ブロック図である。
【図５】本発明の一実施形態に係るＰＨＳ端末Ｂの外観図である。
【図６】本発明の一実施形態に係わる通信機能付ＳＩＭカードＡ及びＰＨＳ端末Ｂの動作を示すシーケンス図である。
【図７】本発明の一実施形態に係るＰＨＳ端末Ｂの表示部１４に表示される操作部１３が緊急操作モードに切り替わったことを示す表示の一例である。
【符号の説明】
【００３６】
Ａ…通信機能付ＳＩＭカード（防犯装置）、Ｂ…ＰＨＳ端末（監視装置）、Ｃ…監視対象機器、１…通信部、２…メモリ部、３…傾斜センサ（状態検出手段）、４…報知部、４ａ…スピーカ、４ｂ…発光部、５…接続端子（汎用インタフェース）、６…制御部、１１…通信部（監視通信部）、１２…メモリ部、１３…操作部、１３ａ…テンキー、１３ｂ…方向キー、１４…表示部、１５…スピーカ、１６…制御部（監視制御部）
【図１】
2008277997.tif 000003
【図２】
2008277997.tif 000004
【図３】
2008277997.tif 000005
【図４】
2008277997.tif 000006
【図５】
2008277997.tif 000007
【図６】
2008277997.tif 000008
【図７】
2008277997.tif 000009